(57)【要約】【課題】お湯はりや足し湯する場合には残り湯の状態により、その都度湯量設定をし直すか、操作回数を繰返すことが必要で操作が煩雑であるという課題があった。【解決手段】お湯はりスイッチ２３または足し湯スイッチ２５を操作（ｏｎ）後、上昇スイッチ２８ａまたは下降スイッチ２８ｂを操作するとお湯はり２４または足し湯湯量設定スイッチ２６で設定された湯量から操作の回数に応じて段階的に増加または減じた湯量に変更でき、変更時点で上昇スイッチ２８ａまたは下降スイッチ２８ｂの押し操作を止めると浴槽へのお湯はりまたは足し湯動作を開始する手段を設けたものである。【選択図】  図２
2004353965.tif 000002
【特許請求の範囲】
【請求項１】
熱交換器と、前記熱交換器を加熱する加熱手段と、前記熱交換器の出口から分岐して浴槽に連結された風呂回路と、前記風呂回路の開閉を行う開閉手段と、浴槽への湯張り量を計測する水量計測手段と、前記浴槽への湯張り動作を行う制御手段と、浴槽への湯張り指示をする湯張りスイッチと、給湯湯温の設定を行う上昇スイッチ及び下降スイッチと、前記浴槽へ足し湯指示を行う足し湯スイッチを備えた風呂給湯機において、湯張り量または足し湯量を設定した状態で、前記湯張りスイッチ又は足し湯スイッチを操作すると、前記上昇スイッチまたは下降スイッチの操作により、既に設定されている湯張り量または足し湯量から予め定めた所定量だけ増減し、かつ操作回数に応じて前記所定量を段階的に増減させる湯量変更手段を設けたことを特徴とした給湯機。
【請求項２】
湯量が段階的に増加または減少した時に報知する報知手段を設けた請求項１記載の給湯機。
【請求項３】
湯量変更手段による湯張りまたは足し湯動作が完了した後に、湯張り量または足し湯量を元の設定湯量に戻すリセット手段を有する請求項１記載の給湯機。
【請求項４】
湯量変更手段による湯張りまたは足し湯動作の途中で中断した場合、湯張り量または足し湯量を元の設定湯量に戻すリセット手段を有する請求項１記載の給湯機。
【請求項５】
湯張り湯温の変更をお湯はり湯温設定スイッチの操作後、上昇スイッチまたは下降スイッチで行ない、決定スイッチを押すことにより確定させるようにした請求項１記載の給湯機。
【発明の詳細な説明】
【０００１】
【発明の属する技術分野】
本発明は、浴槽の自動お湯はりを行う機能を備えた給湯機や風呂給湯装置に関するものである。
【０００２】
【従来の技術】
従来から、浴槽に自動湯張りをする機能を有する給湯機として、図６に示すように、リモコン２２にお湯はりスイッチ２３と湯量設定スイッチ２４ａ、２４ｂと足し湯スイッチ２５を設け、お湯はりスイッチ２３を「入」操作（以下ｏｎ）すると、湯張り動作を開始し、浴槽への湯張り量または浴槽の水位がリモコン２２の湯量設定スイッチ２４ａ、２４ｂで設定した湯量が供給されると自動的にお湯はりを停止する機能と、入浴中に浴槽の水位が低下した時に、足し湯スイッチ２５を操作（ｏｎ）すると、一定量の湯量を足し湯して停止する機能を備えているものが知られている（例えば、特許文献１参照）。
【０００３】
また、この時の設定湯量は、浴槽が空の状態からお湯はりを開始して入浴に適した水位になる湯量が供給されるように使用者が設定するものであり、足し湯する一定量は給湯機の制御手段によりあらかじめ決められているが、リモコン２２の別スイッチの足し湯湯量設定スイッチ２６ａ、２６ｂを備えて可変できるものもある。
【０００４】
【特許文献１】
特開平５−２３１７０９号公報
【０００５】
【発明が解決しようとする課題】
しかしながら上記の従来の技術では、浴槽にお湯が残っている時に自動お湯はりする場合には、その都度、湯量設定スイッチ２４ａ、２４ｂで設定した湯量を少なめに変更することが必要であり、足し湯する場合にも、浴槽のお湯が多量に減っていて多量の足し湯が必要な時には、足し湯スイッチ２５を何度も操作するか、足し湯湯量設定スイッチ２６ａ、２６ｂで変更する必要があり、操作が煩雑になるという課題があった。
【０００６】
また、リモコン２２にお湯はりスイッチ２３と、お湯はり湯量設定スイッチ２４ａ、２４ｂと、足し湯スイッチ２５と、場合によっては足し湯量変更用の足し湯湯量設定スイッチ２６ａ、２６ｂが設けられているので、リモコンの操作部に多くのスイッチを配する必要があり、各々のスイッチが小さくなって、視認性や操作性が悪くなるという課題があった。
【０００７】
本発明は上記課題を解決するもので、浴槽へのお湯はり湯量を変更する時や足し湯の変更が必要な時の操作を簡単にするとともに、リモコンのスイッチの数を減らして、視認性や操作性の改善を図ったものである。
【０００８】
【課題を解決するための手段】
本発明は上記目的を達成するために、湯張りスイッチまたは足し湯スイッチを操作（ｏｎ）後、上昇スイッチまたは下降スイッチを操作することで、お湯張りまたは足し湯湯量設定スイッチで設定された湯量から、操作の回数に応じて段階的に増加または減じた湯量に変更できるようにし、変更時点で上昇スイッチまたは下降スイッチの押し操作を止めると、浴槽へのお湯はりまたは足し湯動作を開始するようにしたものである。
【０００９】
上記発明によれば、お湯はりまたは足し湯をする時に、お湯はりまたは足し湯湯量設定スイッチの変更操作を行うことなく、お湯はりまたは足し湯スイッチと上昇スイッチまたは下降スイッチの操作で、湯量を変更することができるので操作が容易になる。
【００１０】
さらに、お湯はり湯量設定スイッチおよび足し湯湯量設定スイッチの数量を減少できるので、視認性や操作性の改善が図れる。
【００１１】
【発明の実施の形態】
請求項１記載の発明は、熱交換器と、前記熱交換器を加熱する加熱手段と、前記熱交換器の出口から分岐して浴槽に連結された風呂回路と、前記風呂回路の開閉を行う開閉手段と、浴槽への湯張り量を計測する水量計測手段と、前記浴槽への湯張り動作を行う制御手段と、浴槽への湯張り指示をする湯張りスイッチと、給湯湯温の設定を行う上昇スイッチ及び下降スイッチと、前記浴槽へ足し湯指示を行う足し湯スイッチを備えた風呂給湯機において、湯張り量または足し湯量を設定した状態で、前記湯張りスイッチ又は足し湯スイッチを操作すると、前記上昇スイッチまたは下降スイッチの操作により、既に設定されている湯張り量または足し湯量から予め定めた所定量だけ増減し、かつ操作回数に応じて前記所定量を段階的に増減させる湯量変更手段を設けたことを特徴としたもので、お湯はりまたは足し湯湯量設定スイッチを操作することなく変更でき、変更時点で上昇スイッチまたは下降スイッチの操作を止めると浴槽へのお湯はりまたは足し湯動作を開始するものであり、お湯はりまたは足し湯スイッチと増加スイッチまたは足し湯スイッチの操作でお湯はりまたは足し湯湯量を変更することができるので操作性を向上することができる。
【００１２】
請求項２記載の発明は、湯量が段階的に増加または減少した時に報知する報知手段を設けたもので、段階的に湯量が変化したことが認識できるので湯量調整が容易で操作性および視認性を向上することができる。
【００１３】
請求項３記載の発明は、湯量変更手段による湯張りまたは足し湯動作が完了した後に、湯張り量または足し湯量を元の設定湯量に戻すリセット手段を有したことを特徴とするもので、次にお湯はりをする時に、浴槽が空の状態からお湯はりを開始して入浴に適した水位になる。そして、使用者が設定した湯量が供給されるので、浴槽が空の状態からのお湯はりを行う場合には湯量を再設定することなく、お湯はりスイッチの操作だけでお湯はりができ、また通常の足し湯湯量は足し湯湯量設定スイッチで設定された湯量でよい場合は、足し湯スイッチを押すだけでよく、操作性を向上することができる。
【００１４】
請求項４記載の発明は、湯量変更手段による湯張りまたは足し湯動作の途中で中断した場合、湯張り量または足し湯量を元の設定湯量に戻すリセット手段を有したことを特徴とするもので、次にお湯はりをする時に、浴槽が空の状態からお湯はりを開始して入浴に適した水位になる。そして、使用者が設定した湯量が供給されるので、浴槽が空の状態からのお湯はりを行う場合には湯量を再設定することなく、お湯はりスイッチの操作だけでお湯はりができ、また通常の足し湯湯量は足し湯湯量設定スイッチで設定された湯量でよい場合は、足し湯スイッチを押すだけでよく、操作性を向上することができる。
【００１５】
請求項５記載の発明は、湯張り湯温の変更をお湯はり湯温設定スイッチの操作後、上昇スイッチまたは下降スイッチで行ない、決定スイッチを押すことにより確定させるようにしたもので、設定操作スイッチの数量を低減でき、操作性および視認性を向上させることができる。
【００１６】
【実施例】
（実施例１）
図１は本発明の実施例１の給湯機の概略構成図、図２は同給湯機のリモコン、図３は同給湯機の動作を示すフローチャートである。
【００１７】
図において、１は熱交換器、２は熱交換器を加熱する加熱手段であり、熱交換器１には給水回路３と出湯回路４が接続されている。給水回路３には入水温検知センサ９と水量を計測する水量計測手段８が設けられており、出湯回路４には熱交換器温度センサ１０、水量制御弁１２、出湯温度センサ１３が設けられ、外部配管を経由して蛇口などの外部給湯栓に接続する給湯回路５と、注湯弁１４を介して風呂回路６に接続される２系統の給湯回路を通って機外へ供給される。
【００１８】
水量制御弁１２の上流側には給水回路３と出湯回路４を接続し、熱交換器１をバイバスするバイパス回路が設けられ、このバイパス回路にはバイパス制御弁１１が接続されている。
【００１９】
さらに、給水回路３と給湯回路５の間には、風呂回路６への供給中に給湯栓を使用したとき、優先させる他栓スイッチ１５と開閉弁１６が設けられている。
また、燃料は燃料入口より元電磁弁１７、発熱量を制御する比例弁１８、燃焼量を切替える切替弁１９を経て流れ、加熱手段２で燃焼して発熱する。燃焼に必用な空気は空気を供給する燃焼ファン２０によって供給される。
【００２０】
制御手段２１は給湯機全体の制御を行い、図示しない理論演算回路を構成するＣＰＵ、ＲＡＭ、ＲＯＭと各種センサや制御装置からの入力信号受付ける入力インターフェイスと各種のアクチュエータに駆動信号を出力する出力インターフェイス等で構成されている。
【００２１】
図２に示すリモコン２２は、制御手段２１との間で信号を伝送し有って給湯機の動作指示あるいは表示を行う遠隔操作装置であって、運転スイッチ２７、湯張り動作を指示するお湯はりスイッチ２３、足し湯動作を指示する足し湯スイッチ２５、湯張り設定量の操作に切り替えるお湯はり湯量設定スイッチ２４、通常は出湯温度設定スイッチである上昇スイッチ２８ａおよび下降スイッチ２８ｂ、足し湯設定量の操作に切り替える足し湯湯量設定スイッチ２６、湯張り温度の設定操作に切り替えるお湯はり温度設定スイッチ２９及び表示器３０を備える。
【００２２】
通常、風呂回路６に湯を供給する場合は、リモコン２２の運転スイッチ２７を（ｏｎ）にし、お湯はり湯温設定スイッチ２９を操作（ｏｎ）し、上昇スイッチ２８ａまたは下降スイッチ２８ｂで好みのお湯はり湯温を設定し、その後、決定スイッチ３２を操作して確定させる。また、お湯はり湯量を設定する場合は、お湯はり湯量スイッチ２４を操作（ｏｎ）し、上昇スイッチ２８ａまたは下降スイッチ２８ｂで所要のお湯はり湯量を設定し、その後、決定スイッチ３２で確定させる。
【００２３】
そして、上記湯張り温度と湯張り量の設定操作を完了して、お湯はりスイッチ２３を操作（ｏｎ）し湯張り動作を開始させると、注湯弁１４が開かれ風呂回路６へお湯が供給される。この湯張り動作時における湯張り量は水量計測手段８で計測され、その計測信号を制御手段２１に送り、設定された湯量に達すると注湯弁１４が閉じてお湯はり動作を停止する。
【００２４】
また、上記湯張り動作時に設定されたお湯はり温度およびお湯はり湯量は、次の設定値の変更が行われるまでは記憶される構成となっている。
【００２５】
同様に、足し湯動作を行う場合は、リモコン２２の運転スイッチ２７を操作（ｏｎ）し、足し湯量の設定操作を指示する足し湯湯量設定スイッチ２６を操作（ｏｎ）し、上昇スイッチ２８ａまたは下降スイッチ２８ｂで所望の足し湯湯量設定を行った後に、決定スイッチ３２で確定させる。
【００２６】
そして、上記足し湯湯量の設定操作を完了して、足し湯スイッチ２５を操作（ｏｎ）すると、注湯弁１４が開いて風呂回路６へお湯が供給される。この足し湯動作時における足し湯量は水量計測手段８で計測され、その計測信号を制御手段２１に送り、設定された湯量に達すると注湯弁１４が閉じて足し湯を停止する。また、上記足し湯動作時に設定された足し湯量は、次の設定値の変更が行われるまでは記憶される構成となっている。
【００２７】
次に、浴槽７に残り湯がある場合の湯張り動作について説明すると、浴槽７に残り湯がある場合にお湯はりスイッチ２３を操作（ｏｎ）すると、湯張り量は前回に設定された値が記憶されているため、浴槽７が空の状態でのお湯はり湯量となっており、この設定値のまま湯張り動作を行うと必要以上の湯量が供給され浴槽７からお湯が溢れることがある。
【００２８】
また、足し湯動作についても同様、入浴時に浴槽７のお湯が大量に使用され浴槽内に少ししか残っていない場合は、前回に設定された足し湯量では不足するため、足し湯量の設定をやり直すか、足し湯動作を何度も行うという操作が必要になる。
【００２９】
そこで、本実施例では、初期に湯張り温度、湯張り量、足し湯量を設定した後、お湯はりスイッチ２３または足し湯スイッチ２５を押して（ｏｎ）湯張り動作または足し湯動作を行った場合は、湯量設定用及び湯温設定用の上昇スイッチ２８ａまたは下降スイッチ２８ｂを操作すると、前述のお湯はり湯量設定または足し湯湯量設定で設定された湯量から、予め定めた所定量だけ増減するようにし、かつ上昇スイッチ２８ａまたは下降スイッチ２８ｂの操作回数に応じて段階的に増加または減少させた湯量をお湯はりまたは足し湯する湯量変更手段を設けたもので、従来のようにお湯はり湯量設定スイッチ２４または足し湯湯量設定スイッチ２６を操作して湯張り量や足し湯量を変更する必要がなくなる。つまり、図３のフローチャートで示すように、お湯張りスイッチ２３をＯＮし、浴槽内に残り湯が有る場合は、所要の湯張り量を決め、下降スイッチ２８ｂの操作回数によって湯量変更を行い、その後、下降スイッチ２８ｂの押し操作を止めると、浴槽へのお湯はりまたは足し湯動作を開始するものであり、お湯はりスイッチ２３または足し湯スイッチ２５と、上昇スイッチ２８ａまたは下降スイッチ２８ｂの操作で湯量を変更することができるので操作性を向上することができる。
【００３０】
上述したお湯はりまたは足し湯の変更操作後、一定時間（例えば５秒）経過後は上昇スイッチ２８ａまたは下降スイッチ２８ｂは給湯湯温の設定スイッチに戻るようにしてある。
【００３１】
（実施例２）
実施例２は上記実施例１の湯量変更手段による湯量変化状態の表示または報知手段に関するもので、お湯はりスイッチ２３または足し湯スイッチ２５を操作し、次に上昇スイッチ２８ａまたは下降スイッチ２８ｂを操作すると、その操作回数に応じて段階的に湯量が変化する状態を表示または報知する手段を設けたもので、上昇スイッチ２８ａまたは下降スイッチ２８ｂの操作回数に応じて、初期の設定量から予め定めた所定量づつ段階的に変化し、それに連動して表示器３０の数値が変化すると共に、報知音を発生させることにより、より操作性を向上することができる。
【００３２】
（実施例３）
実施例３は実施例１の湯量変更手段を解除するリセット手段３３を設けた構成としたもので、図４はその動作を示すフローチャートである。
【００３３】
制御手段２１にリセット手段３３を設け、湯張り動作完了後に初期に設定したお湯はり湯量に戻るようにしたもので、次にお湯はりをする時に、浴槽７が空の状態からお湯はりを開始でき入浴に適した水位になる。そして、使用者が設定した湯量が供給されるので、浴槽７が空の状態からのお湯はりを行う場合には、湯量を再設定することなく、お湯はりスイッチ２３の操作だけでお湯はりができるので操作性を向上することができる。
【００３４】
同様に、通常の使用状態では上述の操作で設定された足し湯湯量でよい場合が常であり、足し湯動作が完了した後に、制御手段２１に設けたリセット手段３３を操作して、足し湯湯量を元の設定された湯量に戻すようにしてある。そして、次に足し湯を行う場合には湯量を再設定することなく、足し湯スイッチ２５の操作だけで足し湯ができるので操作性を向上することができる。
【００３５】
図４のフローチャートではお湯はり動作の例で記載しているが、足し湯動作の場合も同様である。
【００３６】
（実施例４）
実施例４は実施例１の湯量変更手段をその動作の途中で解除するリセット手段３３を設けた構成としたもので、図５はその動作を示すフローチャートである。湯量変更手段により湯量を変更した状態で湯張り動作を行っている途中で、お湯はりスイッチ２３を再度操作してお湯はり動作を中止した後には、制御手段２１に設けたリセット手段３３により初期に設定された湯量に戻すようにしたもので、次にお湯はりをする時に、浴槽７が空の状態からお湯はりを開始して入浴に適した水位になる。そして、使用者が設定した湯量が供給されるので、浴槽７が空の状態からのお湯はりを行う場合には、湯量を再設定することなく、お湯はりスイッチ２３の操作だけでお湯はりができるので操作性を向上することができる。
【００３７】
同様に、通常の使用状態では上述の操作で設定された足し湯湯量でよい場合が常であり、足し湯動作に入り途中で、足し湯スイッチを再度操作して足し湯動作を中止した場合は、制御手段２１に設けたリセット手段３３で足し湯湯量を上述の操作で設定された湯量に戻るようにしたもので、次に足し湯を行う場合には湯量を再設定することなく、足し湯スイッチ２５の操作だけで足し湯ができるので操作性を向上することができる。
【００３８】
図５のフローチャートではお湯はり動作の例で記載しているが、足し湯動作の場合も同様である。
【００３９】
（実施例５）
実施例５はお湯張り湯温の変更をお湯張り湯温設定スイッチの操作後、上昇スイッチ２８ａまたは下降スイッチ２８ｂで行い、決定スイッチにより確定するようにしたもので、湯量設定はお湯はり設定スイッチ２４または足し湯湯量設定スイッチ２６を操作（ｏｎ）し、次に上昇スイッチ２８ａまたは下降スイッチ２８ｂで任意に設定し決定スイッチ３２を押して確定させるものである。同様に、お湯はり湯温設定をお湯はり湯温設定スイッチ２９を操作（ｏｎ）し、次に上昇スイッチ２８ａまたは下降スイッチ２８ｂで任意に設定し決定スイッチ３２を押して確定させるもので、リモコンのスイッチの数を減らして視認性や操作性を向上することができる。
【００４０】
【発明の効果】
以上説明したように、本発明のによれば次の効果が得られる。
【００４１】
１）お湯はりスイッチまたは足し湯スイッチを操作（ｏｎ）にすると、浴槽へのお湯はり動作または足し湯動作を開始すると共に、上昇スイッチまたは下降スイッチを操作すると、湯量設定スイッチで設定されたお湯はり量または足し湯湯量から、操作回数に応じて段階的に設定湯量を変更することができるので、操作性を向上することができる。
【００４２】
２）湯量が段階的に増加または減少した時に、報知音および表示部の各該当表示を点滅させる報知装置を設けたもので、段階的に湯量が変化したことが認識できるので、湯量調整が容易で操作性および視認性を向上することができる。
【００４３】
３）お湯はりまたは足し湯動作が完了した後には、リセット手段によりお湯はりまたは足し湯湯量は、湯量設定スイッチで設定された湯量に戻るものとしたもので、次にお湯はりをする時に浴槽が空の状態からお湯はりを開始して入浴に適した水位になるよう使用者が設定した湯量が供給されるので、浴槽が空の状態からのお湯はりを行う場合には湯量を再設定することなく、お湯はりスイッチの操作だけでお湯はりができ、また、通常の足し湯湯量は足し湯湯量設定スイッチで設定した湯量でよい場合が多く、足し湯スイッチを押すだけで足し湯動作ができ、操作性を向上することができる。
【００４４】
４）お湯はり動作に入り途中でお湯はりスイッチを再度操作してお湯はり動作を中止した後には、リセット手段でお湯はりまたは足し湯湯量は元の設定された湯量に戻るものとしたもので、次にお湯はりをする時に浴槽が空の状態からお湯はりを開始して入浴に適した水位になるよう使用者が設定した湯量が供給されるので、浴槽が空の状態からのお湯はりを行う場合には湯量を再設定することなくお湯はりスイッチの操作だけでお湯はりができ、また通常の足し湯湯量は足し湯湯量設定スイッチで設定されたでよい場合は足し湯スイッチを押すだけでよく操作性を向上することができる。
【００４５】
５）お湯はり湯温設定スイッチおよび足し湯湯量設定スイッチの変更も上昇スイッチおよび下降スイッチで行ない、決定スイッチを押すことにより確定させるものとしたもので、設定操作スイッチの数量を低減でき、操作性および視認性を向上させることができる。
【００４６】
また、上記効果以外に、スイッチを少なくすることにより、視認性が向上し、さらに操作性、使い勝手の向上が図れる。
【図面の簡単な説明】
【図１】本発明の実施例１の給湯機の構成図
【図２】同給湯機のリモコン説明図
【図３】同給湯機の動作を示すフローチャート
【図４】本発明の他の実施例による給湯機の動作を示すフローチャート
【図５】本発明の他の実施例による給湯機の動作を示すフローチャート
【図６】従来例のリモコンの説明図
【符号の説明】
１  熱交換器
２  加熱手段
４  出湯回路
６  風呂回路
８  水量計測手段
１４  注湯弁（開閉弁）
２０  燃焼ファン
２１  制御手段
２２  リモコン
２３  お湯はりスイッチ
２４  お湯はり湯量設定スイッチ
２５  足し湯スイッチ
２６  足し湯湯量設定スイッチ
２８ａ  上昇スイッチ
２８ｂ  下降スイッチ
３０  表示器
３２  決定スイッチ
【図１】
2004353965.tif 000003
【図２】
2004353965.tif 000004
【図３】
2004353965.tif 000005
【図４】
2004353965.tif 000006
【図５】
2004353965.tif 000007
【図６】
2004353965.tif 000008